【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
プリンシパルが保護されたコンテンツに対して実行することができる操作のタイプを制限する権利管理サーバと、メッセージを受信し、該メッセージをプリンシパル、または該プリンシパルのエージェントに提供するメッセージサーバとを含むメッセージングシステムにおいて、プリンシパルに、前記プリンシパルが前記権利管理サーバへのアクセスを有さない場合にコンテンツへのアクセスを許すために、権利管理の対象である該コンテンツのプレライセンス供与を行う方法であって、
権利管理サーバとは異なる前記メッセージサーバによって、送信コンピューティングシステムからメッセージの少なくとも一部分へのアクセスが権利管理サーバを介して制御されるという点で権利管理の対象であるメッセージを受信する動作と、前記メッセージサーバは前記メッセージが権利管理に対象であることを認識しており、
前記メッセージサーバによって、前記送信コンピューティングシステムから前記メッセージの少なくとも一部分が権利管理の対象であることを識別する権利表現を含んだ発行ライセンスを受信する動作と、前記権利表現は権利管理の対象である前記メッセージの少なくとも一部分についての一つ又は複数の意図された受領者を特定し及び前記一つ又は複数の意図された受領者の各々についての１つ又は複数の権利を特定し、そして前記権利表現は前記メッセージの共有、転送、印刷、及び再ライセンスの少なくとも１つについて１つ又は複数のプリンシパルの操作を制限し、前記発行ライセンスは前記権利管理サーバから前記送信コンピューティングシステムによって前もって獲得されているものであり、
前記メッセージサーバが前記メッセージは権利管理の対象であることを認識する際、前記メッセージサーバによって前記１つまたは複数のプリンシパルのために、前記１つまたは複数のプリンシパルに前記メッセージへのアクセスを許すための少なくとも１つの使用ライセンスを要求する動作であって、前記要求は、前記権利管理サーバに対して権利管理の対象である前記メッセージの少なくとも一部を識別する前記発行ライセンスを含む動作と、
前記権利管理サーバは、前記メッセージサーバへ後に権利管理サーバへアクセスすることなく権利管理の対象である前記メッセージの少なくとも一部をアクセスすることを１つ又は複数のプリンシパルに許可する少なくとも１つの使用ライセンスを発行し、
前記メッセージサーバによって前記１つまたは複数のプリンシパルのために、前記少なくとも１つの使用ライセンスを受信して、前記１つまたは複数のプリンシパルが、前記メッセージサーバから少なくとも１つの使用ライセンスを獲得して、前記権利管理サーバから前記少なくとも１つの使用ライセンスを要求する必要なしに、権利管理の対象である前記メッセージの少なくとも一部分にアクセスすることができるようにする動作と、
前記メッセージサーバによって、１つ又は複数の前記プリンシパルの少なくとも１つに前記少なくとも１つの使用ライセンスの１つ又は複数を提供する動作と、
前記プリンシパルによって、前記メッセージサーバから、前記プリンシパルが権利管理サーバにアクセスしない時に前記使用ライセンスに従いコンテンツにアクセスできるように前記使用ライセンス及び前記コンテンツを受信する動作と、
を含むことを特徴とする方法。
【請求項２】
前記権利管理サーバを介して制限される前記メッセージの前記少なくとも一部分は、暗号化され、前記使用ライセンスは、暗号化されている前記メッセージの前記一部分を解読するのに使用されるコンテンツキーを含むことを特徴とする請求項１に記載の方法。
【請求項３】
暗号化されている前記メッセージの前記一部分は、保護された連絡先、保護されたドキュメント、保護された予定表のアイテム、または保護された会合要求の少なくとも１つであることを特徴とする請求項２に記載の方法。
【請求項４】
少なくとも１つの使用ライセンスを要求する前記動作は、前記権利管理サーバに認証を送信して、前記メッセージサーバが、前記１つまたは複数のプリンシパルに代行して前記少なくとも１つの使用ライセンスを獲得する権限を有することを確認する動作をさらに含むことを特徴とする請求項１に記載の方法。
【請求項５】
前記メッセージサーバは、前記１つまたは複数のプリンシパルのために複数の使用ライセンスを要求して、前記１つまたは複数のプリンシパルが、複数のマシン上で前記メッセージにアクセスすることができるようにすることを特徴とする請求項１に記載の方法。
【請求項６】
前記少なくとも１つの使用ライセンスは、前記メッセージサーバによって前記メッセージとは別個に格納されることを特徴とする請求項１に記載の方法。
【請求項７】
前記発行ライセンスは、前記１つまたは複数のプリンシパルへの参照を含み、前記メッセージサーバが前記少なくとも１つの使用ライセンスを要求した場合、前記１つまたは複数のプリンシパルが前記メッセージへのアクセスを有することが意図されていることを前記権利管理サーバが検証することができるようにすることを特徴とする請求項１に記載の方法。
【請求項８】
前記発行ライセンスは、前記１つまたは複数のプリンシパルが前記メッセージの複製に対して実行することが許される操作のタイプを制限する少なくとも１つの権利表現をさらに含むことを特徴とする請求項７に記載の方法。
【請求項９】
前記権利表現は、読み取り専用の既定値であることを特徴とする請求項８に記載の方法。
【請求項１０】
前記発行ライセンス中の少なくとも１つの前記権利表現は、前記メッセージの印刷の前記１つまたは複数のプリンシパルの操作を制限するものであることを特徴とする請求項７に記載の方法。
【請求項１１】
前記権利表現は、前記少なくとも１つの権利表現が利用できる回数または期間の少なくとも１つを制限する有効期限の機能を含むことを特徴とする請求項１０に記載の方法。
【請求項１２】
前記少なくとも１つのプリンシパルは、プロセス、ユーザ、マシン、サーバ、またはクライアントであることを特徴とする請求項１に記載の方法。
【請求項１３】
前記発行ライセンスは、前記メッセージが変わっていないことを確認するのに使用されるハッシュ、および前記発行ライセンスが有効であることを確認するのに使用される前記権利管理サーバによる署名の１つまたは複数をさらに含むことを特徴とする請求項１に記載の方法。
【請求項１４】
前記発行ライセンスは、前記メッセージの宛先である複数のプリンシパルを参照し、前記メッセージサーバは、前記権利管理サーバにかかる負荷を分散させるために、前記複数のプリンシパルのために使用ライセンスをバッチ要求プロセスによって取得することを特徴とする請求項１に記載の方法。
【請求項１５】
プリンシパルが保護されたコンテンツに対して実行することができる操作のタイプを制限する権利管理サーバと、メッセージを受信し、該メッセージをプリンシパル、または該プリンシパルのエージェントに提供するメッセージサーバとを含むメッセージングシステムにおいて、プリンシパルに、前記プリンシパルが前記権利管理サーバへのアクセスを有さない場合にコンテンツへのアクセスを許すために、権利管理の対象である該コンテンツのプレライセンス供与を行う方法であって、
メッセージサーバによって送信コンピューティングシステムからメッセージ及び発行ライセンスを受信するステップと、前記メッセージは保護されたコンテンツを含み、
送信コンピューティングシステムから受信された前記メッセージが、前記メッセージの少なくとも一部分へのアクセスが権利管理サーバを介して制御されるという点で権利管理の対象である保護されたコンテンツを含むことを前記メッセージサーバによって判定するステップと、前記権利管理サーバは１つ又は複数のプリンシパルが権利管理の対象である前記メッセージの少なくとも一部にアクセスすることを許可する１つ又は複数のユーザ・ライセンスを発行し、
前記メッセージサーバにより送信コンピユーティングシステムから受信した前記メッセージが保護されたコンテンツを含むと判定される際、前記メッセージサーバによって少なくとも１つの使用ライセンスを権利管理サーバから要求するステップと、前記発行ライセンスは前記権利管理サーバから前記送信コンピューティングシステムによって前もって獲得されており、
前記権利管理サーバは前記メッセージサーバに、１つ又は複数のプリンシパルが権利管理サーバへ後にアクセスをすることなしに、権利管理の対象である前記メッセージの少なくとも一部へアクセスすることを許可する１つ又は複数の使用ライセンスを発行するステップと、
前記権利管理サーバサーバとは異なる前記メッセージサーバによって、前記権利管理サーバから１つ又は複数のプリンシパルのために、前記少なくとも１つの使用ライセンスを獲得するステップと、前記使用ライセンスは前記プリンシパルが前記権利管理サーバにアクセスしない時に前記使用ライセンスに従って前記コンテンツにアクセスすることを与えるものである、
を含むことを特徴とする方法。
【請求項１６】
前記権利管理サーバを介して制限される前記メッセージの前記少なくとも一部分は、暗号化され、前記使用ライセンスは、暗号化されている前記メッセージの前記一部分を解読するのに使用されるコンテンツキーを含むことを特徴とする請求項１５に記載の方法。
【請求項１７】
暗号化されている前記メッセージの前記一部分は、保護された連絡先、保護されたドキュメント、保護された予定表のアイテム、または保護された会合要求の少なくとも１つであることを特徴とする請求項１６に記載の方法。
【請求項１８】
前記少なくとも１つの使用ライセンスを獲得するためのステップは、前記メッセージサーバによって前記１つまたは複数のプリンシパルのために、前記少なくとも１つの使用ライセンスを要求する動作を含み、前記要求は、前記権利管理サーバに対して前記メッセージを明らかにするための前記受信された発行ライセンスを含み、前記要求は、前記メッセージサーバが、前記１つまたは複数のプリンシパルのために前記少なくとも１つの使用ライセンスを獲得する権限を有することを確認するための前記権利管理サーバに対する認証証明書を含むことを特徴とする請求項１５に記載の方法。
【請求項１９】
前記受信された発行ライセンスは、前記メッセージサーバが少なくとも１つの使用ライセンスを要求した時、前記権利管理サーバが前記１つまたは複数のプリンシパルを前記メッセージにアクセスする意図を有効化できるように前記１つ又は複数のプリンシパルへの参照を含むことを特徴とする請求項１８に記載の方法。
【請求項２０】
前記発行ライセンスは、前記メッセージの前記１つまたは複数のプリンシパルによって前記メッセージを転送することを制限する少なくとも１つの権利表現を含むことを特徴とする請求項１９に記載の方法。
【請求項２１】
前記発行ライセンス中の少なくとも１つの前記権利表現は、前記１つまたは複数のプリンシパルの再ライセンスの操作を制限することを含むことを特徴とする請求項１９に記載の方法。
【請求項２２】
前記権利表現は、前記少なくとも１つの権利表現が利用できる回数を制限する有効期限の機能を含むことを特徴とする請求項２１に記載の方法。
【請求項２３】
前記権利表現は、読み取り専用の既定値であることを特徴とする請求項１９に記載の方法。
【請求項２４】
前記メッセージサーバは前記１つ又は複数のプリンシパルのために複数の使用ライセンスを要求し、前記１つ又は複数のプリンシパルは複数のマシン上の前記メッセージをアクセスできるようにしたことを特徴とする請求項１５に記載の方法。
【請求項２５】
前記少なくとも１つの使用ライセンスは前記メッセージとは分離された前記メッセージサーバにより格納されることを特徴とする請求項１５に記載の方法。
【請求項２６】
前記少なくとも１つのプリンシパルは、プロセス、ユーザ、マシン、サーバ、またはクライアントであることを特徴とする請求項１５に記載の方法。
【請求項２７】
前記受信された発行ライセンスは、前記メッセージが変わっていないことを確認するのに使用されるハッシュ、および前記発行ライセンスが有効であることを確認するのに使用される前記権利管理サーバによる署名の１つまたは複数をさらに含むことを特徴とする請求項１５に記載の方法。
【請求項２８】
前記受信された発行ライセンスは、前記メッセージの宛先である複数のプリンシパルを参照し、前記メッセージサーバは、前記権利管理サーバにかかる負荷を分散させるために、前記複数のプリンシパルのために使用ライセンスをバッチ要求プロセスによって取得することを特徴とする請求項１５に記載の方法。
【請求項２９】
プリンシパルが保護されたコンテンツに対して実行することができる操作のタイプを制限する権利管理サーバと、メッセージを受信し、該メッセージをプリンシパル、または該プリンシパルのエージェントに提供するメッセージサーバとを含むメッセージングシステムにおいて、プリンシパルに、前記プリンシパルが前記権利管理サーバへのアクセスを有さない場合にコンテンツへのアクセスを許すために、権利管理の対象である該コンテンツのプレライセンス供与を行う方法を実施するコンピュータ実行可能命令を担持する１つまたは複数のコンピュータ可読媒体を含むコンピュータプログラム製品であって、前記方法は、
権利管理サーバとは異なる前記メッセージサーバによって、送信コンピューティングシステムからメッセージの少なくとも一部分へのアクセスが権利管理サーバを介して制御されるという点で権利管理の対象であるメッセージを受信する動作と、前記メッセージサーバは前記メッセージが権利管理の対象であることを認識しており、
前記メッセージサーバによって、前記送信コンピューティングシステムから前記メッセージの少なくとも一部分が権利管理の対象であることを識別する権利表現を含んだ発行ライセンスを受信する動作と、前記権利表現は権利管理の対象である前記メッセージの少なくとも一部分についての一つ又は複数の意図された受領者を特定し及び前記一つ又は複数の意図された受領者の各々についての１つ又は複数の権利を特定し、そして前記権利表現は前記メッセージの共有、転送、印刷、及び再ライセンスの少なくとも１つについて１つ又は複数のプリンシパルの操作を制限し、前記発行ライセンスは前記権利管理サーバから前記送信コンピューティングシステムによって前もって獲得されているものであり、
前記メッセージサーバが前記メッセージは権利管理の対象であることを認識する際、前記メッセージサーバによって前記１つまたは複数のプリンシパルのために、前記１つまたは複数のプリンシパルに前記メッセージへのアクセスを許すための少なくとも１つの使用ライセンスを要求する動作であって、前記要求は、前記権利管理サーバに対して権利管理の対象である前記メッセージの少なくとも一部を識別する前記発行ライセンスを含む動作と、
前記権利管理サーバは、前記メッセージサーバへ後に権利管理サーバへアクセスすることなく権利管理の対象である前記メッセージの少なくとも一部をアクセスすることを１つ又は複数のプリンシパルに許可する少なくとも１つの使用ライセンスを発行し、
前記メッセージサーバによって前記１つまたは複数のプリンシパルのために、前記少なくとも１つの使用ライセンスを受信して、前記１つまたは複数のプリンシパルが、前記メッセージサーバから少なくとも１つの使用ライセンスを獲得して、前記権利管理サーバから前記少なくとも１つの使用ライセンスを要求する必要なしに、権利管理の対象である前記メッセージの少なくとも一部分にアクセスすることができるようにする動作と、
前記メッセージサーバによって、１つ又は複数の前記プリンシパルの少なくとも１つに前記少なくとも１つの使用ライセンスの１つ又は複数を提供する動作と、
前記プリンシパルによって、前記メッセージサーバから、前記プリンシパルが権利管理サーバにアクセスしない時に前記使用ライセンスに従いコンテンツにアクセスできるように前記使用ライセンス及び前記コンテンツを受信する動作と、
を含むことを特徴とするコンピュータプログラム製品。
【請求項３０】
前記発行ライセンスは、前記１つまたは複数のプリンシパルへの参照を含み、前記メッセージサーバが前記少なくとも１つの使用ライセンスを要求した場合、前記１つまたは複数のプリンシパルが前記メッセージへのアクセスを有することが意図されていることを前記権利管理サーバが検証することができるようにすることを特徴とする請求項２９に記載のコンピュータプログラム製品。
【請求項３１】
前記発行ライセンスは、コピーと委託の少なくとも１つを制限する少なくとも１つの権利表現をさらに含むことを特徴とする請求項３０に記載のコンピュータプログラム製品。
【請求項３２】
前記発行ライセンスの中の前記少なくとも１つの権利表現は、保存中の前記１つまたは複数のプリンシパルの操作を、制限することを特徴とする請求項３０に記載のコンピュータプログラム製品。
【請求項３３】
前記権利表現は、前記少なくとも１つの権利表現が利用できる回数または期間の少なくとも１つを制限する有効期限の機能を含むことを特徴とする請求項３２に記載のコンピュータプログラム製品。
【請求項３４】
前記権利表現は、読み取り専用の既定値であることを特徴とする請求項３０に記載のンピュータプログラム製品。
【請求項３５】
前記少なくとも１つのプリンシパルは、プロセス、ユーザ、マシン、サーバ、またはクライアントであることを特徴とする請求項２９に記載のコンピュータプログラム製品。
【請求項３６】
前記発行ライセンスは、前記メッセージの宛先である複数のプリンシパルを参照し、前記メッセージサーバは、前記権利管理サーバにかかる負荷を分散させるために、前記複数のプリンシパルのために使用ライセンスをバッチ要求プロセスによって取得することを特徴とする請求項２９に記載のコンピュータプログラム製品。
【請求項３７】
プリンシパルが保護されたコンテンツに対して実行することができる操作のタイプを制限する権利管理サーバと、メッセージを受信し、該メッセージをプリンシパル、または該プリンシパルのエージェントに提供するメッセージサーバとを含むメッセージングシステムにおいて、プリンシパルに、前記プリンシパルが前記権利管理サーバへのアクセスを有さない場合にコンテンツへのアクセスを許すために、権利管理の対象である該コンテンツのプレライセンス供与を行う方法を実施するコンピュータ実行可能命令を担持する１つまたは複数のコンピュータ可読媒体を含むコンピュータプログラム製品であって、前記方法は、
メッセージサーバによって送信コンピューティングシステムからメッセージ及び発行ライセンスを受信するステップと、前記メッセージは保護されたコンテンツを含み、
送信コンピューティングシステムから受信された前記メッセージが、前記メッセージの少なくとも一部分へのアクセスが権利管理サーバを介して制御されるという点で権利管理の対象である保護されたコンテンツを含むことを前記メッセージサーバによって判定するステップと、前記権利管理サーバは１つ又は複数のプリンシパルが権利管理の対象である前記メッセージの少なくとも一部にアクセスすることを許可する１つ又は複数のユーザ・ライセンスを発行し、
前記メッセージサーバにより送信コンピユーティングシステムから受信した前記メッセージが保護されたコンテンツを含むと判定される際、前記メッセージサーバによって少なくとも１つの使用ライセンスを権利管理サーバから要求するステップと、前記発行ライセンスは前記権利管理サーバから前記送信コンピューティングシステムによって前もって獲得されており、
前記権利管理サーバは前記メッセージサーバに、１つ又は複数のプリンシパルが権利管理サーバへ後にアクセスをすることなしに、権利管理の対象である前記メッセージの少なくとも一部へアクセスすることを許可する１つ又は複数の使用ライセンスを発行するステップと、
前記権利管理サーバサーバとは異なる前記メッセージサーバによって、前記権利管理サーバから１つ又は複数のプリンシパルのために、前記少なくとも１つの使用ライセンスを獲得するステップと、前記使用ライセンスは前記プリンシパルが前記権利管理サーバにアクセスしない時に前記使用ライセンスに従って前記コンテンツにアクセスすることを与えるものである、
を含むことを特徴とするコンピュータプログラム製品。
【請求項３８】
前記権利管理サーバを介して制限される前記メッセージの前記少なくとも一部分は、暗号化され、前記使用ライセンスは、暗号化されている前記メッセージの前記一部分を解読するのに使用されるコンテンツキーを含み、暗号化されている前記メッセージの前記一部分は、保護された連絡先、保護されたドキュメント、保護された予定表のアイテム、または保護された会合要求の少なくとも１つであることを特徴とする請求項３７に記載のコンピュータプログラム製品。
【請求項３９】
前記少なくとも１つの使用ライセンスを獲得するためのステップは、前記メッセージサーバによって前記１つまたは複数のプリンシパルのために、前記少なくとも１つの使用ライセンスを要求する動作を含み、前記要求は、前記権利管理サーバに対して前記メッセージを明らかにするための前記受信された発行ライセンスを含み、前記要求は、前記メッセージサーバが、前記１つまたは複数のプリンシパルのために前記少なくとも１つの使用ライセンスを獲得する権限を有することを確認するための前記権利管理サーバに対する認証を含むことを特徴とする請求項３７に記載のコンピュータプログラム製品。
【請求項４０】
前記メッセージサーバは、前記１つまたは複数のプリンシパルのために複数の使用ライセンスを要求して、前記１つまたは複数のプリンシパルが、複数のマシン上で前記メッセージにアクセスすることができるようにすることを特徴とする請求項３７に記載のコンピュータプログラム製品。
【請求項４１】
前記少なくとも１つの使用ライセンスは、前記メッセージサーバによって前記メッセージとは別個に格納されることを特徴とする請求項３７に記載のコンピュータプログラム製品。
【請求項４２】
前記受信された発行ライセンスは、少なくとも１つの権利表現をさらに含み、前記権利表現は、前記少なくとも１つの権利表現が利用できる回数を制限する有効期限の機能を含むことを特徴とする請求項３７に記載のコンピュータプログラム製品。
【請求項４３】
前記少なくとも１つのプリンシパルは、プロセス、ユーザ、マシン、サーバ、またはクライアントであることを特徴とする請求項３７に記載のコンピュータプログラム製品。
【請求項４４】
前記受信された発行ライセンスは、前記メッセージの宛先である複数のプリンシパルを参照し、前記メッセージサーバは、前記権利管理サーバにかかる負荷を分散させるために、前記複数のプリンシパルのために使用ライセンスをバッチ要求プロセスによって取得することを特徴とする請求項３７に記載のコンピュータプログラム製品。